(57)【特許請求の範囲】
【請求項１】
便座及びこの便座を回動自在に軸支する便座支持部材を備えた便座装置を便器本体の上面に昇降自在に取り付ける便座取付具であって、
円柱状の第１軸部と、この第１軸部の下端に連続してこの第１軸部の外径よりも小さい外径に形成された円柱状の第２軸部とを有し、前記便座支持部材の下面に連結される軸部材と、
前記便器本体の後部上面に垂直方向に貫設された取付孔に固定され、前記第１軸部の外径より僅かに大きい内径を有して上端開口部から連続して形成された第１貫通孔部と、前記第２軸部の外径より僅かに大きい内径を有してこの第１貫通孔部の下端に連続して形成された第２貫通孔部とを有し、挿通された前記軸部材が上下動し、前記第２軸部よりも長い筒部材と、
前記第２軸部の外周面と前記第１貫通孔部の内周面との間に配置され、前記第１軸部の下端面と前記第１貫通孔部の下端面との間に挟持されており、前記軸部材が上昇する方向に弾性力を付与する第１弾性部材とを備えており、
前記軸部材が上昇した状態では前記第１軸部の下端部が前記第１貫通孔部の上端部に挿通されており、前記第２軸部の下端部が前記第２貫通孔部に挿通されていることを特徴とする便座取付具。
【請求項２】
前記便座装置と請求項１記載の便座取付具とを備えていることを特徴とする昇降便座。
【発明の詳細な説明】
【技術分野】
【０００１】
本発明は便座取付具及び昇降便座に関する。
【背景技術】
【０００２】
特許文献１の図１には、従来の便座取付具が開示されている。この便座取付具は、軸部材と、挿通された軸部材が上下動する貫通孔を有する筒部材と、軸部材が上昇する方向に弾性力を付与する弾性部材とを備えている。軸部材は円柱状であり単一の外径を有している。筒部材は軸部材の外径よりも僅かに大きい内径を有する貫通孔部と、貫通孔部の下方に連続して貫通孔部の内径よりも大きい内径を有する空洞部とを有している。空洞部の下端は蓋体により閉鎖されている。圧縮コイルバネは、軸部材の下端面と、蓋体の上面との間に挟持され、空洞部に収納されている。
【０００３】
この便座取付具では、圧縮コイルバネの弾性力によって軸部材が上方に押し上げられる。この際、軸部材は貫通孔部の内周面に保持されて垂直上方に起立している。これにより、便座装置を便器本体の上面より上方の上昇位置に上昇させることができる。このため、便座支持部材の下面と便器本体の後部上面との間に隙間を生じさせることができ、その隙間を利用して便器本体の上面を容易に清掃することができる。
【先行技術文献】
【特許文献】
【０００４】
【特許文献１】特開２０００−５１００号公報
【発明の概要】
【発明が解決しようとする課題】
【０００５】
しかし、特許文献１の便座取付具では、軸部材の上昇量を大きくしようとすると、圧縮コイルバネの伸張幅を大きくし、それに伴い空洞部の上下方向の長さを長くしなければならない。これにより、貫通孔部の上下方向の長さは短くなる。貫通孔部の上下方向の長さが短くなると、上昇した軸部材の保持が不十分となり、便座装置の上昇位置での安定性にかける虞がある。
【０００６】
本発明は、上記従来の実情に鑑みてなされたものであって、上昇位置にある便座装置を安定させることができる便座取付具及び昇降便座を提供することを解決すべき課題としている。
【課題を解決するための手段】
【０００７】
本発明の便座取付具は、便座及びこの便座を回動自在に軸支する便座支持部材を備えた便座装置を便器本体の上面に昇降自在に取り付ける便座取付具であって、
円柱状の第１軸部と、この第１軸部の下端に連続してこの第１軸部の外径よりも小さい外径に形成された円柱状の第２軸部とを有し、前記便座支持部材の下面に連結される軸部材と、
前記便器本体の後部上面に垂直方向に貫設された取付孔に固定され、前記第１軸部の外径より僅かに大きい内径を有して上端開口部から連続して形成された第１貫通孔部と、前記第２軸部の外径より僅かに大きい内径を有してこの第１貫通孔部の下端に連続して形成された第２貫通孔部とを有し、挿通された前記軸部材が上下動し、前記第２軸部よりも長い筒部材と、
前記第２軸部の外周面と前記第１貫通孔部の内周面との間に配置され、前記第１軸部の下端面と前記第１貫通孔部の下端面との間に挟持されており、前記軸部材が上昇する方向に弾性力を付与する第１弾性部材とを備えており、
前記軸部材が上昇した状態では前記第１軸部の下端部が前記第１貫通孔部の上端部に挿通されており、前記第２軸部の下端部が前記第２貫通孔部に挿通されていることを特徴とする。
【０００８】
この便座取付具では、第１弾性部材の弾性力を利用して軸部材を上昇させることにより、便座装置を便器本体の上面から上昇位置に容易に上昇させることができる。便座装置が上昇位置に上昇した状態で、軸部材は、空洞部の上端部と下端開口部とのそれぞれに保持されている。つまり、筒部材の上端部と下端部との最も離れた２箇所で軸部材を保持することができる。
【０００９】
したがって、本発明の便座取付具は、上昇位置にある便座装置を安定させることができる。
【００１０】
また、第１弾性部材が第２軸部と第１貫通孔部との間に配置され、第２軸部５２Ｂの外周面と第１貫通孔部５３Ｄの内周面とが第１弾性部材の伸縮をガイドする。このため、第１弾性部材が長くても安定して伸縮することができる。
【００１１】
また、第１弾性部材が常時、筒部材に覆われており露出してしまわない。このため、第１弾性部材に埃等が溜まらず、安定して伸縮することができる。また、第１弾性部材の伸縮時に生じる音を筒部材内に閉じ込めることができるため、静音化を図ることができる。
【００１２】
本発明の昇降便座は、前記便座装置と前記便座取付具とを備えていることを特徴とする。この昇降便座では上述した効果を得ることができる。
【図面の簡単な説明】
【００１３】
【図１】実施例の昇降便座が便器本体に取り付けられた状態を示す側面図である。
【図２】実施例の昇降便座を便器本体に取り付ける状態を示す斜視図である。
【図３】実施例の便座リフトアップ装置を示す分解斜視図である。
【図４】実施例の便座リフトアップ装置を示す上面図である。
【図５】便座装置が下降位置に配置された状態を示す図４における矢視Ｘ−Ｘ断面図である。
【図６】図５の要部拡大図である。
【図７】便座装置が上昇位置に配置された状態を示す図４における矢視Ｘ−Ｘ断面図である。
【図８】図６の要部拡大図である。
【図９】実施例の筒部材の下端部と被結合部材とを示す斜視図である。
【図１０】実施例の被結合部材を接続部に取り付ける工程を示す側面図であり、（ａ）は取付け前の状態、（ｂ）は被結合部材を接続部に挿入した状態、（ｃ）は被結合部材を回転する状態、（ｄ）は被結合部材が接続部に取付けられた状態を示す。
【図１１】実施例のレバー部材と便座リフトアップ装置との関係を示す平面図であり、（ａ）は爪部が第１位置に配置された状態、（ｂ）は爪部が中間位置に移動した状態、（ｃ）は爪部が第２位置に移動した状態を示す。
【図１２】実施例の第１係止部材と爪部との関係を示す要部断面図であり、（ａ）は爪部が第１位置に配置された状態、（ｂ）は爪部が中間位置に移動した状態、（ｃ）は爪部が第２位置に移動した状態を示す。
【図１３】実施例の便座装置の上昇位置で上プレートに対して便座装置を着脱する状態を示す側面図である。
【発明を実施するための形態】
【００１４】
本発明の便座取付具を有する便座リフトアップ装置と便座装置とを備えた昇降便座を具体化した実施例を図面を参照しつつ説明する。
【００１５】
＜実施例＞
実施例の昇降便座は、図１及び図２に示すように、便座装置１０と便座取付具５０を有する便座リフトアップ装置２０とを備えている。
【００１６】
便座装置１０は、便座１１と、便蓋１２と、便座１１及び便蓋１２を回動自在に軸支する便座支持部１３と、レバー部材１４とを備えている。
【００１７】
便座支持部材１３はボックス状に形成されている。便座支持部材１３の内部には、一対の局部洗浄用ノズル１３Ａと、局部洗浄用ノズル１３Ａへの洗浄水の給水路に設けられた温水タンク１３Ｂと、局部洗浄用ノズル１３Ａへの洗浄水の給水路に設けられた開閉弁や温水タンク１３Ｂに内蔵されたヒーター等を制御する制御装置１３Ｃ等を有する局部洗浄装置が収納されている。
【００１８】
便座支持部材１３の下面には、後述する便座リフトアップ装置２０の上プレート３０と下プレート４０とが重ね合わされた状態で収納される収納凹部１６が設けられている。収納凹部１６の後端部は開放している。また、収納凹部１６の左右両端部には上プレート３０の左右に突出して設けられた鍔部３０Ａを挿入する溝部１６Ａが設けられている。収納凹部１６には、上プレート３０と下プレート４０とが重ね合わされた状態、若しくは上プレート３０が下プレート４０から上昇した状態で、収納凹部１６の後方から鍔部３０Ａを溝部１６Ａに挿入させながらスライドさせることにより、重ね合わされた状態の上プレート３０及び下プレート４０、若しくは上プレート３０のみを収納することができる。
【００１９】
レバー部材１４は、便座装置１０を便器本体１の上面に取り付けた状態で、便器本体１の前方から見て便座支持部材１３の左側面に操作部１４Ｂを露出させている。レバー部材１４は、左右方向に延び、左右方向に往復移動するレバー本体部１４Ａを有している。操作部１４Ｂはレバー本体部１４Ａの一端部から下方に延びて形成されている。レバー本体部１４Ａは便座支持部材１３内の底面に沿って配置されている。
【００２０】
レバー本体部１４Ａには、下方に延びて便座支持部材１３の下面（収納凹部１６の下面）より下方に突出し、レバー本体部１４Ａの往復移動に伴い第１位置と第２位置との間を往復移動する１対の爪部１４Ｃが形成されている。
【００２１】
レバー本体部１４Ａには、爪部１４Ｃが第１位置に配置される方向に弾性力を付与する圧縮コイルバネ１５が取り付けられている。圧縮コイルバネ１５の弾性力により爪部１４Ｃが第１位置に配置された状態では、操作部１４Ｂの外側面は便座支持部材１３の左側面と面一である。レバー部材１４は、圧縮コイルバネ１４の弾性力に抗して、操作部１４Ｂを便座支持部材１３の左側面より外側に引き出すことができる。これにより、爪部１４Ｃを第１位置から第２位置に移動させることができる。
【００２２】
便座リフトアップ装置２０は、図２〜図４に示すように、便器本体１の上面に固定される下プレート４０と、下プレート４０に対して昇降する上プレート３０と、上プレート３０を上昇させる方向に弾性力を付与する第１弾性部材である第１圧縮コイルバネ５１を有する便座取付具５０とを備えている。
【００２３】
下プレート４０は、下プレート本体部材４１と、第１係止部材４２と、第２弾性部材である第２圧縮コイルバネ４３とを有している。
【００２４】
下プレート本体部材４１は、下プレート４０が便器本体１の上面に固定された状態で、便器本体１の前方から見て左右に前後方向に延びた固定部４１Ａと、各固定部４１Ａの後部を連結する連結部４１Ｂとを有している。
【００２５】
各固定部４１Ａは、長方形状の平板であり、前後端及び外側端に上方に延びる土手部が形成されている。各固定部４１Ａには前後に並んで２つずつ貫通孔４４が設けられている。便器本体１が標準タイプの場合、前側の貫通孔４４に後述する便座取付具５０の筒部材５３を挿通して便座リフトアップ装置２０を便器本体１に取り付ける。また、便器本体１が大型タイプの場合、後側の貫通孔４４に便座取付具５０の筒部材５３を挿通して便座リフトアップ装置２０を便器本体１に取り付ける。
【００２６】
各貫通孔４４の前後には切り取り可能な切取部４４Ａが設けられている。切取部４４Ａを切り取ることにより、固定部４１Ａに前後方向に延びる長孔を形成することができる。切取部４４Ａを切り取って長孔を形成することにより、便座取付具５０の筒部材５３の挿通位置を便器本体１の大きさに合わせて前後方向に微調整することができる。
【００２７】
各固定部４１Ａの左右側部の上面には、複数の小突起４５を所定間隔ごとに前後方向に整列させた凹凸部が形成されている。この凹凸部は、後述する便座取付具５０の筒部材５３の頭部５３Ｃの下面との間で柔軟性を有するリング部材５３Ｇを挟持することにより、筒部材５３の挿通位置がずれることを防止するものである。各固定部４１Ａの下面には、固定部４１Ａの外形よりも僅かに小さい形状であり、前後方向に延びる長孔が形成された滑り止め部材４６が貼着されている。
【００２８】
連結部４１Ｂには第１係止部材４２を収納する収納部４７が形成されている。収納部４７は下方に開口しており、下方から第１係止部材４２が挿入される。収納部４７の下方開口は蓋部材４７Ａにより閉鎖されている。蓋部材４７Ａは、小突起を有して連結部４１Ｂの前端面に設けられた係止部４１Ｃと、小突起が挿入する開口を有して蓋部材４７Ａの前端面に設けた被係止部４７Ｂとを係止し、ビスＳにより連結部４１Ｂに固定されている。収納部４７内には、第２圧縮コイルバネ４３の一端が当接する第１当接部４３Ｂが形成されている。
【００２９】
収納部４７の上面には、上下方向に貫通し、左右に長い長方形状の第１開口部４７Ｂが貫設されている。第１開口部４７Ｂの上方から、収納部４７内に収納された第１係止部材４２の後述する後側の第１係止部４２Ｃを望むことができる。また、第１開口部４７Ｂには、上方から上プレート３０に設けられた後述する後側の第２係止部３２Ｂが挿入される。この第２係止部３２Ｂは、第１開口部４７Ｂの上方から挿入され、第１係止部４２Ｃに係止する。
【００３０】
収納部４７の右側面の後部には左右方向に貫通した第２開口部４７Ｃが貫設されている。第２開口部４７Ｃには、第１係止部材４２の後述する凸部４２Ｄが収納部４７の内側から突出する。
【００３１】
第１係止部材４２は、左右方向に延びた直方体形状の本体部４２Ａと、前端面の左右端部の２箇所に設けられた前側の第１係止部４２Ｂと、後端面の左右中間部に設けられた後側の第１係止部４２Ｃと、後端面の右側端部から右方向に突出して設けられた凸部４２Ｄとを有している。前側の各第１係止部４２Ｂは、第１係止部材４２が収納部４７に収納された状態では、収納部４７の前端部より前方に露出している。
【００３２】
本体部４２Ａの上面の中央部には左右方向に延びた凹部４２Ｅが設けられている。凹部４２Ｅには第２圧縮コイルバネ４３が収納される。凹部４２Ｅの右側内面には第２圧縮コイルバネ４３の他端が当接する第２当接部４３Ａが形成されている。
【００３３】
第１係止部材４２を下プレート４０の収納部４７に収納する際、第２圧縮コイルバネ４３は収納部４７内に形成された第１当接部４３Ｂと第１係止部材４２に設けられた第２当接部４３Ａとの間に挟持される。このため、第１係止部材４２には、第２圧縮コイルバネ４３の弾性力が右方向に付与されている。
【００３４】
上プレート３０は、レバー部材１４に形成された一対の爪部１４Ｃと同じ間隔を有して設けられ、上方に開口した２列の係止凹部３１を有している。各係止凹部３１は、前端部が上プレート３０の前端部に開口している。また、各係止凹部３１の後端部は直角に右方向に屈曲し、爪部１４Ｃが係止する段部３１Ａを形成している。このため、各係止凹部３１の前端部から後端部に挿入された爪部１４Ｃは、レバー本体部１４Ａに取り付けられた圧縮コイルバネ１５により第１位置に移動すると、段部３１Ａに係止する。
【００３５】
上プレート３０の下部には、下プレート４０の連結部４１Ｂを収納する空洞部が形成されている。この空洞部には、下プレート４０に設けられた前側の第１係止部４２Ｂに対応する２つの前側の第２係止部３２Ａと、下プレート４０に設けられた後側の第１係止部４２Ｃに対応する１つの後側の第２係止部３２Ｂとが設けられている。
【００３６】
上プレート３０は、下プレート４０の各固定部４１Ａに対応する位置に前後方向に延びて形成された固定凹部３３を有している。固定凹部３３の中央部には前後方向に延びる長孔３３Ａが設けられている。この固定凹部３３には、後述する便座取付具５０の軸部材５２を固定するワッシャーＷ１及びボルトＢ１が収納される。また、この長孔３３Ａには軸部材５２を固定するボルトＢ１が挿通される。
【００３７】
上プレート３０には、下プレート４０と重ね合わされた状態で左右に突出する鍔部３０Ａが形成されている。左右の鍔部３０Ａは、前部において外側部の間隔が狭くなるように中央側へ傾斜している。このため、上プレート３０の鍔部３０Ａは、前端側から便座支持部材１３の溝部１６Ａに挿入し易い。
【００３８】
便座取付具５０は、図３、図５〜図８に示すように、軸部材５２と、軸部材５２が挿通して上下動する貫通孔（第１貫通孔部５３Ｄ、第２貫通孔部５３Ｅ）を有する筒部材５３と、軸部材５２が上昇する方向に弾性力を付与する第１弾性部材である第１圧縮コイルバネ５１とを有している。
【００３９】
軸部材５２は、円柱状の第１軸部５２Ａと、この第１軸部５２Ａの下端に連続する円柱状の第２軸部５２Ｂと、この第１軸部５２Ａの上端に連続する円盤状の頭部５２Ｃとを有している。第２軸部５２Ｂの外径は第１軸部５２Ａの外径よりも小さく形成されている。頭部５２Ｃの直径は第１軸部５２Ａの外径よりも大きく形成されている。
【００４０】
軸部材５２は、頭部５２Ｃの上面から下方へ向けて螺子孔が形成されている。第２軸部５２Ｂの下端部の外周には第２軸部５２Ｂを一周する溝部５２Ｄが設けられている。この溝部５２Ｄには結合部材であるＯリング５４が嵌め込まれて取り付けられている。Ｏリング５４は、圧縮コイルバネをリング状に連結したものである。
【００４１】
第２軸部５２Ｂの下端面には円盤状の停止部材５２ＥがボルトＢ２により取り付けられている。停止部材５２Ｅは、後述する筒部材５３の下端部に取り付けられる被結合部材５５の外径と等しい外径を有している。このため、停止部材５２Ｅが被結合部材５５の下端面に当接し、軸部材５２が筒部材５３から上方へ抜けてしまうことを防止している。
【００４２】
筒部材５３は、外周面にねじ山が刻まれた円筒状の胴部５３Ａと、胴部５３Ａの下端に連続する接続部５３Ｂと、接続部５３Ｂに取り付けられた被結合部材５５と、胴部５３Ａの上端に連続する平面視が正方形の平板状の頭部５３Ｃとを有している。筒部材５３は第２軸部５２Ｂより長く形成されている。筒部材５３は、便器本体１の後部上面に左右に並んで垂直方向に貫設された一対の取付孔２に上方から挿通され、下端から挿入されたワッシャーＷ２を挟持してナットＮをねじ込むことにより固定される。
【００４３】
筒部材５３には、軸部材５２の第１軸部５２Ａの外径より僅かに大きい内径を有する第１貫通孔部５３Ｄが頭部５３Ｃの上面の開口から連続して、胴部５３Ａ内に上下方向に形成されている。また、筒部材５３には、軸部材５２の第２軸部５２Ｂの外径より僅かに大きい内径を有する第２貫通孔部５３Ｅが第１貫通孔部５３Ｄの下端に連続して筒部材５３の接続部５３Ｂ内に形成されている。
【００４４】
筒部材５３の下端部である接続部５３Ｂには、筒状の被結合部材５５が取り付けられている。被結合部材５５は、内周面の下端部に軸部材５２のＯリング５４が係止する係止部５５Ｅが形成されている。また、被結合部材５５には、図９及び図１０に示すように、上下に並んだ２列のスリット５５Ａ、５５Ｂが被結合部材５５の中心軸に対して対称の位置の側面に夫々形成されている。上側のスリット５５Ａには、被結合部材５５の上端部の内面に設けられた縦溝５５Ｃが連結されている。また、上側のスリット５５Ａは、下面の中間部に隆起部５５Ｄが形成されている。接続部５３Ｂの外側面には、筒部材５３の中心軸に対して対称の位置に２つの凸部５３Ｆが形成されている。
【００４５】
このように形成された被結合部材５５は、次のように接続部５３Ｂに取り付けられる。図１０（ａ）、（ｂ）に示すように、接続部５３Ｂの凸部５３Ｆを被結合部材５５の縦溝５５Ｃに挿通させ、接続部５３Ｂを被結合部材５５内に挿入する。すると、凸部５３Ｆは上側のスリット５５Ａの端部に挿入される。次に、被結合部材５５を筒部材５３の中心軸回りに回転させると、図１０（ｃ）に示すように、凸部５３Ｆが隆起部５５Ｄを乗り越える。この際、上側のスリット５５Ａと下側のスリット５５Ｂとの境界部分を下側スリット５５Ｂの空間側に変形させることができるため、凸部５３Ｆが隆起部５５Ｄを乗り越えることができる。また、凸部５３Ｆが乗り上げる側の隆起部５５Ｄの立ち上がり面が上り傾斜に形成されているため、凸部５３Ｆが隆起部５５Ｄを容易に乗り越えることができる。このようにして、図１０（ｄ）に示すように、凸部５３Ｆが隆起部５５Ｄを乗り越え、被結合部材５５は接続部５３Ｂに取付けられる。隆起部５５Ｄを乗り越えた凸部５３Ｆは、乗り越えた側の隆起部５５Ｄの側面が上側のスリット５５Ａの底面から垂直に立ち上がっているため、逆方向に隆起部５５Ｄを乗り越え難く、被結合部材５５が逆回転して接続部５３Ｂから抜け落ちてしまわない。
【００４６】
第１圧縮コイルバネ５１は、図５〜図８に示すように、第２軸部５２Ｂと第１貫通孔部５３Ｄとの間に配置され、第１軸部５２Ａの下端面と第１貫通孔部５３Ｄの下端面との間に挟持されている。このため、軸部材５２は上昇する方向に第１圧縮コイルバネ５１の弾性力が付与されている。
【００４７】
筒部材５３は第２軸部５２Ｂより長く形成されているため、軸部材５２が上昇した状態では、第１軸部５２Ａの下端部が第１貫通孔部５３Ｄの上端部に挿入されており、第２軸部５２Ｂの下端部が第２貫通孔部５３Ｅに挿通されている。このように、軸部材５２は上昇した状態で、第１軸部５２Ａの下端部が第１貫通孔部５３Ｄの上端部に保持され、第２軸部５２Ｂの下端部が第２貫通孔部５３Ｅに保持されている。つまり、筒部材５３の上端部と下端部との最も離れた２箇所で軸部材５２を保持することができる。
【００４８】
したがって、実施例の便座取付具５０は、上昇位置にある便座装置１０を安定させることができる。
【００４９】
また、第１圧縮コイルバネ５１が第２軸部５２Ｂと第１貫通孔部５３Ｄとの間に配置され、第２軸部５２Ｂの外周面と第１貫通孔部５３Ｄの内周面とが第１圧縮コイルバネ５１の伸縮をガイドする。このため、第１圧縮コイルバネ５１が長くても安定して伸縮することができる。
【００５０】
また、第１圧縮コイルバネ５１が常時、筒部材５３に覆われており露出してしまわない。このため、第１圧縮コイルバネ５１に埃等が溜まらず、安定して伸縮することができる。また、第１圧縮コイルバネ５１の伸縮時に生じる音を筒部材５３内に閉じ込めることができるため、静音化を図ることができる。
【００５１】
このように構成された昇降便座では、次に示すように、便座装置１０を便器本体１に取り付ける。
【００５２】
先ず、図２に示すように、便座リフトアップ装置２０を便器本体１の後部上面に取り付ける。この際、便器本体１が標準タイプの場合、便座取付具５０の筒部材５３を下プレート４０の前側の貫通孔４４に挿通する。また、便器本体１が大型タイプの場合、便座取付具５０の筒部材５３を下プレート４０の後側の貫通孔４４に挿通する。また、下プレート４０の切取部４４Ａを切り取って長孔にした上で、便座取付具５０の筒部材５３をこの長孔に挿通してもよい。
【００５３】
次に、便器本体１の後部上面の取付孔２に筒部材５３を挿通し、下方からナットＮをねじ込んで下プレート４０を便器本体１の後部上面に固定する。この際、下プレート４０の切取部４４Ａを切り取って長孔にした場合には、前後方向に微調整しながら下プレート４０を便器本体１の後部上面に固定することができる。
【００５４】
次に、下プレート４０の第１係止部４２Ｂ、４２Ｃと上プレート３０の第２係止部３２Ａ、３２Ｂとを係止させ、下プレート４０と上プレート３０とを重ね合わせた状態にする。この状態でボルトＢ１を締め込み、軸部材５２の頭部５２ＣとボルトＢ１が挿通するワッシャーＷ１とにより上プレート３０を挟み込み、上プレート３０に便座取付具５０の軸部材５２を固定する。
【００５５】
次に、便器本体１の後部上面に取り付けられた上プレート３０と下プレート４０とを便座装置１０の便座支持部材１３に設けられた収納凹部１６に収納するように、便座支持部材１３を前方から後方へスライドさせる。この際、便座支持部材１３の収納凹部１６に設けられた溝部１６Ａに上プレート３０の鍔部３０Ａを挿入させながら、スライドさせる。すると、便座支持部材１３の収納凹部１６の下面より下方に突出する爪部１４Ｃが上プレート３０の係止凹部３１の前端部から挿入される。爪部１４Ｃは、便座支持部材１３を後方へスライドさせ、収納凹部１６に上プレート３０と下プレート４０とが完全に収納されると、図１１（ａ）及び図１２（ａ）に示すように、圧縮コイルバネ１５の弾性力により第１位置に配置される。つまり、爪部１４Ｃが段部３１Ａに係止した状態となる。このようにして、便座支持部材１３は上プレート１６に対して固定される。つまり、昇降便座の便座装置１０は便器本体１の上面に取り付けられる。
【００５６】
便器本体１に取り付けられた昇降便座において、操作部１４Ｂを一方向（左方向）に引き出す操作を行うと、図１１（ａ）、（ｂ）及び図１２（ａ）、（ｂ）に示すように、爪部１４Ｃは第１位置から第２位置へ向けて移動する。すると、爪部１４Ｃが下プレート４０の第１係止部材４２に設けられた凸部４２Ｄを左方向に押す。このため、第２圧縮コイルバネ４３の弾性力に抗して第１係止部材４２が左方向に移動する。これにより、第１係止部材４２に設けられた第１係止部４２Ｂ、４２Ｃも左方向に移動する。
【００５７】
このように、爪部１４Ｃを第１位置から第２位置へ向けて移動させるために操作部１４Ｂを操作する際、第２圧縮コイルバネ４３の弾性力が加わるため、意図せずに爪部１４Ｃが移動してしまうことを防止することができる。つまり、意図せずに便座装置１０を便器本体１上で上昇させてしまったり、便器本体１から取り外してしまったりすることを防止することができる。
【００５８】
爪部１４Ｃが第１位置から第２位置へ移動する中間位置において、図１１（ｂ）及び図１２（ｂ）に示すように、第１係止部４２Ｂ、４２Ｃは第２係止部３２Ａ、３２Ｂとの係止状態を解除する。これにより、便座取付具５０の第１圧縮コイルバネ５１の弾性力を利用して上プレート３０を下プレート４０から容易に上昇させることができる。つまり、便座装置１０を便器本体１の上面から上昇位置に容易に上昇させることができる。
【００５９】
第１圧縮コイルバネ５１の弾性力は便座装置１０の荷重と略等しく設定されているため、第１係止部４２Ｂ、４２Ｃと第２係止部３２Ａ、３２Ｂとの係止状態が解除されたのみでは、便座装置１０は上昇しない。しかし、第１圧縮コイルバネ５１の弾性力と便座装置１０の荷重とか均衡しているため、便座装置１０の荷重を感じずに便座装置１０を持ち上げることができる。つまり、操作部１４Ｂを左方向に引き出して爪部１４Ｃを中間位置に移動させながら、便座装置１０の便座支持部材１３の両側を保持し、便座装置１０を容易に上方に持ち上げることができる。
【００６０】
便座装置１０を持ち上げて、図７及び図８に示すように、第２軸部５２Ｂの下端部のＯリング５４を被結合部材５５の係止部５５Ｅに係止させると、便座装置１０を上昇位置に確実に保持することができる。
【００６１】
また、便座装置１０が上昇位置に保持された状態において、筒部材５３の上端部と下端部との最も離れた２箇所で軸部材５２を保持しているため、上昇位置にある便座装置１０をさらに安定させることができる。
【００６２】
便座装置１０を持ち上げて、Ｏリング５４を係止部５５Ｅに係止させる際に被結合部材５５が弾性変形するためクリック感が生じる。このため、便座装置１０が上昇位置に保持されたことを認識することができ、便座装置１０を上昇位置に確実に保持することができる。このため、図１３に示すように、便座装置１０を上昇させた状態でも、上プレート３０に対して便座装置１０を以下に示す操作によって取り外したり、取付けたりすることができる。
【００６３】
操作部１４Ｂを左方向へさらに引き出す操作を行い、爪部１４Ｃを第２位置へ移動させると、図１１（ｃ）及び図１２（ｃ）に示すように、爪部１４Ｃが係止凹部３１の段部３１Ａからはずれた位置まで移動し、爪部１４Ｃと係止凹部３１との係止状態が解除される。これにより、便座支持部材１３を前方へ引き出すことができる。つまり、便座装置１０を便器本体１から容易に取り外すことができる。このように、爪部１４Ｃを完全に第２位置に移動させなければ、爪部１４Ｃと係止凹部３１との係止状態は解除することができない。このため、便座装置１０を便器本体１から取り外す際には、爪部１４Ｃが第２位置に完全に移動するように操作部１４Ｂを操作することになり、便座装置１０を便器本体１から取り外すための操作部１４Ｂの操作と、便座装置１０を便器本体の上面から上昇させるための操作部１４Ｂの操作とを明確に区別することができる。
【００６４】
このように、この昇降便座では、一つの操作部１４Ｂを一方向（左方向）に操作することによって、その中間位置で便座装置１０を便器本体１の上面から上昇させることができ、さらに操作すると便座装置１０を便器本体１から取り外すことができる。また、操作部１４Ｂは便器本体１の上面に配置された便座支持部材１３の左側面に露出しているため、操作を容易に行なうことができる。つまり、便座装置１０の便器本体１上での昇降及び便座装置１０の便器本体１に対する着脱を容易に行なうことができる。
【００６５】
また、実施例の便座リフトアップ装置２０は、同様のレバー部材１４を備えた便座装置に対して利用することができる。つまり、この便座リフトアップ装置２０を便器本体１に取り付けることにより、同様のレバー部材１４を備えている便座装置であれば、例え、既存の便座装置であっても便器本体１上での昇降及び便器本体１に対する着脱を同様に行なうことができる。また、同様のレバー部材１４を備えていれば、新規な便座装置に取り替えたとしても、便器本体１上での昇降及び便器本体１に対する着脱を同様に行なうことができる。このように、この便座リフトアップ装置２０は、複数種類の便座装置に適用することができる。
【００６６】
本発明は上記記述及び図面によって説明した実施例に限定されるものではなく、例えば次のような実施例も本発明の技術的範囲に含まれる。
（１）実施例では、上プレートを介して便座装置を昇降させていたが、便座装置の便座支持部材の下面に直接、便座取付具の軸部材の頭部を取り付けて便座装置を昇降させてもよい。
（２）実施例では、第１弾性部材である第１圧縮コイルバネの弾性力を便座装置の荷重と略等しく設定したが、第１弾性部材の弾性力は便座装置の荷重より強くしてもよい。この場合、便座装置を第１弾性部材の弾性力のみにより上昇させることができる。
【符号の説明】
【００６７】
１…便器本体
２…取付孔
１０…便座装置
１１…便座
１３…便座支持部材
５０…便座取付具
５１…第１圧縮コイルバネ（第１弾性部材）
５２…軸部材
５２Ａ…第１軸部
５２Ｂ…第２軸部
５３…筒部材
５３Ｄ…第１貫通孔部
５３Ｅ…第２貫通孔部
【図１】
0005384392.tif 000002
【図２】
0005384392.tif 000003
【図３】
0005384392.tif 000004
【図４】
0005384392.tif 000005
【図５】
0005384392.tif 000006
【図６】
0005384392.tif 000007
【図７】
0005384392.tif 000008
【図８】
0005384392.tif 000009
【図９】
0005384392.tif 000010
【図１０】
0005384392.tif 000011
【図１１】
0005384392.tif 000012
【図１２】
0005384392.tif 000013
【図１３】
0005384392.tif 000014